(57)【要約】【課題】筐体の開口を閉塞してインクカートリッジ等のカートリッジをカートリッジ装着部に対して装着する際に、手間を要することがなく、また前記カバーが開いたときに筐体から大きく飛び出すことがない画像記録装置が望まれている。【解決手段】カバー２２は、第１係合部５０と第２係合部６０とを有し、インクカートリッジ８０は、リフィルケース７４と係合して装着状態を保持するロック部８３と、突出部２４が当接する当接部８１と、突出部２４と離間する凹部８２とを有し、突出部２２ｃは、カバー２２が開姿勢から閉姿勢へ至る過程において、リフィルユニット７０に挿入されたインクカートリッジ８０の当接部８１に当接して、インクカートリッジ８０を、ロック部８３が係合部７６に係合する位置まで筐体２の内部側へ向けて押圧し、その後、インクカートリッジ８０の凹部８２が形成された位置へ移動する。【選択図】図１０
2017177771.tif 000002
【特許請求の範囲】
【請求項１】
記録材によりシート状の被記録媒体に画像を記録する画像記録装置であって、
前記記録材を収容するカートリッジと、
前記カートリッジが挿抜可能に装着されるカートリッジ装着部と、
前記カートリッジ装着部を収容し、前記カートリッジが挿抜される開口部が形成された筐体と、
内側面に内側に突出する突出部が形成され、前記開口部を開放する開姿勢と、前記開口部を閉塞する閉姿勢との間で回動可能なカバーとを備え、
前記カバーは、
前記カバーの側面と前記カバーの側面に対向する前記筐体の一面とが互いに回動可能かつ摺動可能に係合する第１係合部と、前記カバーの側面と前記カバーの側面に対向する前記筐体の一面とが前記第１係合部とは異なる箇所で互いに回動可能かつ摺動可能に係合する第２係合部とを有し、
閉姿勢にある前記カバーの一端部が前記開口部側から前記筐体の内部側へ向けて移動するとともに、他端部が他端側から一端側へ移動しながら、前記第１係合部及び第２係合部を中心に回動することにより前記開姿勢になるとともに、
開姿勢にある前記カバーの一端部が前記筐体の内部側から前記開口部側へ向けて移動するとともに、他端部が一端側から他端側へ移動しながら、前記第１係合部及び第２係合部を中心に回動することにより前記閉姿勢となり、
前記カートリッジは、
前記カートリッジが前記カートリッジ装着部に装着位置まで挿入されると、前記カートリッジ装着部と係合して装着状態を保持するロック部と、前記カバーが前記開姿勢から閉姿勢へ至る過程で前記突出部が当接する当接部と、前記カートリッジが前記カートリッジ装着部に装着された状態で前記突出部と離間する凹部とを有し、
前記突出部は、
前記カバーが前記開姿勢から前記閉姿勢へ至る過程において、
前記カートリッジ装着部に挿入された前記カートリッジの前記当接部に当接して、前記カートリッジを、前記カートリッジのロック部が、前記カートリッジ装着部に係合する位置まで前記筐体の内部側へ向けて押圧し、
前記カートリッジを前記装着位置まで押圧した後、前記カートリッジの前記凹部が形成された位置へ移動する、
ことを特徴とする画像記録装置。
【請求項２】
前記第１係合部及び第２係合部は、
前記カバーが閉姿勢と開姿勢との間で回動する際に、前記カバーの側面又は前記筐体の一面の何れかに沿った軌跡をたどって移動可能に構成されており、
前記カバーが前記閉姿勢から前記開姿勢へ至る過程において、
前記カバーは、前記閉姿勢にある状態から開姿勢側への回動動作を開始する際に、前記第１係合部及び第２係合部の一方を中心として、前記カバーが前記カートリッジから離間する方向に回動し、
その後、前記第１係合部及び第２係合部の一方は、前記カバーが開姿勢へ至るまで、前記カバーが開姿勢側から閉姿勢側へ回動するときの第１軌跡を反対方向にたどって移動し、
前記第１係合部及び第２係合部の他方は、前記カバーが開姿勢へ至る途中までは前記カバーが開姿勢側から閉姿勢側へ回動するときの第２軌跡よりも、前記カバーが前記カートリッジから離間する第３軌跡をたどって移動し、その後は前記第２軌跡を反対方向にたどって移動する、
ことを特徴とする請求項１に記載の画像記録装置。
【請求項３】
前記第２軌跡の一端部と前記第３軌跡の一端部とは接続され、前記第２軌跡の途中部と前記第３軌跡の他端部とは接続されており、
前記第２軌跡の一端部には、
前記第１係合部及び第２係合部の他方が、前記第２軌跡の一端部側から他端部側へ移動することを規制する第１移動規制部が形成され、
前記第２軌跡の途中部と前記第３軌跡の他端部との接続部には、
前記第１係合部及び第２係合部の他方が、前記第２軌跡から前記第３軌跡へ移動することを規制する第２移動規制部が形成されている、
ことを特徴とする請求項２に記載の画像記録装置。
【請求項４】
前記筐体は、
前記筐体の一面に形成され前記カートリッジの挿抜方向に沿って延出する第１延出部、及び前記第１延出部の前記開口部側端部から閉姿勢にある前記カバーの他端側へ向かって延出する第２延出部を有する第１溝部と、前記筐体の一面から前記カバーの側面に向って突出する第２ボスと有し、
前記カバーは、
前記カバーの一端部における側面から前記筐体の一面側へ向かって突出し、前記第１溝部に回動可能かつ摺動可能に係合する第１ボスと、前記カバーの側面に形成され前記カバーの一端側から他端側へ向かって延出し、前記第２ボスが回動可能かつ摺動可能に係合する第２溝部とを有し、
前記第１ボスが前記第１係合部として構成され、
第２溝部における前記第２ボスが係合する部分が前記第２係合部として構成され、
前記カートリッジの前記凹部は、前記カートリッジの前記当接部よりも他端側に配置され、
前記カバーが前記開姿勢から閉姿勢へ至る過程において、
前記第１ボスが前記第１延出部を前記筐体の内部側から前記開口部側へ移動するとともに、前記第２ボスが前記第２溝部を前記カバーの他端側から一端側へ相対的に移動しながら、前記カバーが前記第１係合部及び第２係合部を中心として回動する際に、前記突出部が前記カートリッジの前記当接部を前記筐体の内部側へ向けて押圧し、
前記第１ボスが前記第２延出部を前記一端側から他端側へ向けて移動するとともに、前記第２ボスが前記第２溝部を前記カバーの他端側から一端側へ相対的に移動しながら、前記カバーが前記第１係合部及び第２係合部を中心として回動する際に、前記突出部が前記カートリッジにおける前記当接部が形成された位置から前記凹部が形成された位置へ移動する、
ことを特徴とする請求項１に記載の画像記録装置。
【請求項５】
前記カバーは、
前記カバーの側面に形成され前記カバーが閉姿勢にあるときに前記第２溝部よりも前記筐体の内側に配置され、前記第２ボスが回動可能かつ摺動可能に係合可能な第３溝部を有し、
前記第３溝部の一端部は前記第２溝部の一端部と接続され、前記第３溝部の他端部は前記第２溝部の途中部と接続されて、
第３溝部における前記第２ボスが係合する部分が前記第２係合部として構成され、
前記カバーが前記閉姿勢から前記開姿勢へ至る過程において、
前記カバーは、閉姿勢にある状態から開姿勢側へ回動動作を開始する際に、前記第１係合部の第１ボスを中心として、前記カバーが前記カートリッジから離間する方向に回動し、
その後、前記第１ボスは、前記カバーが開姿勢へ至るまで、前記第１溝部に沿って移動し、
第２係合部の第２ボスは、前記カバーが開姿勢へ至る途中までは前記第３溝部に沿って相対的に移動し、その後は第２溝部に沿って相対的に移動する、
ことを特徴とする請求項４に記載の画像記録装置。
【請求項６】
前記第２溝部の一端部には、前記第２溝部の一端側よりも他端側が高くなる第１段差部が形成され、
前記第３溝部の他端部と前記第２溝部の途中部との接続部には、前記第３溝部側が前記第２溝部側よりも高くなる第２段差部が形成されている、
ことを特徴とする請求項５に記載の画像記録装置。
【請求項７】
前記カバーは、閉姿勢にあるときに、一端部が前記開口部の下端部に位置し、他端部が前記開口部の上端部に位置する姿勢に配置され、
前記第１溝部と前記第２ボスとは、前記カートリッジ装着部よりも下方に配置され、
前記カバーが閉姿勢側から開姿勢側へ回動する際には、前記カバーの一端部が、前記筐体の前記カートリッジ装着部よりも下方において、前記開口部側から前記筐体の内部側へ向けて移動する、
ことを特徴とする請求項４〜請求項６の何れか一項に記載の画像記録装置。
【請求項８】
前記カバーは、前記カバーの外側面における一端部に形成される把手を有し、
前記把手は、前記カバーの外側面に形成される凹部と、前記凹部の前記一端部から外側へ延出する把持片と、前記把持片の外側端部から前記カバーの他端部側へ向けて延出する係止片とを備える、
ことを特徴とする請求項１〜請求項７の何れか一項に記載の画像記録装置。
【発明の詳細な説明】
【技術分野】
【０００１】
本発明は、記録材によりシート状の被記録媒体に画像を記録する画像記録装置に関する。
【背景技術】
【０００２】
従来、記録材によりシート状の被記録媒体に画像を記録する画像記録装置においては、記録材としてインクを用い、インクカートリッジから供給されたインクを記録ヘッドのノズルから吐出して、シート状の被記録媒体に着弾させることにより画像記録を行う、所謂インクジェットプリンタ方式の画像記録装置が知られている。
【０００３】
この種の画像記録装置としては、特許文献１に記載されるように、インクカートリッジと、このインクカートリッジが脱着可能に装着されるリフィルユニットと、このリフィルユニットを収容し、インクカートリッジが脱着される開口が前面に形成された筐体と、開口を開放する開放姿勢と開口を閉塞する閉塞姿勢との間で回動可能な開閉扉とを備えたものが公知である。
【０００４】
特許文献１に記載される画像記録装置においては、開閉扉は、閉塞姿勢にあるときには起立しており、この閉塞姿勢から下端部を中心として前方に回動することにより倒伏して開放姿勢となるように構成されている。
【０００５】
また、リフィルユニットは、インクカートリッジが脱着されるケースと、ケース前面の開口を開閉する扉とを備えており、その扉の内面には突出状の押圧保持部材が設けられている。そして、ケースにインクカートリッジが挿入された状態で扉を閉じると、押圧保持部材がインクカートリッジを押圧してケースの内奥側に押し込み、インクカートリッジは、記録ヘッドに接続されているインク供給管と係合するように構成されている。
【０００６】
さらに、ケースが扉により閉じられた状態になると、筐体の前面に形成される開口を開閉扉により閉塞することが可能となっている。
このように構成される画像記録装置の使用時においては、リフィルユニットのケースが扉により閉じられるとともに、筐体の開口が開閉扉により閉塞された状態となっている。
【先行技術文献】
【特許文献】
【０００７】
【特許文献１】特開２００７−２３７５０１号公報
【発明の概要】
【発明が解決しようとする課題】
【０００８】
しかし、前述の特許文献１に記載の画像記録装置においては、例えばインクカートリッジを交換した後に使用状態とするためには、リフィルユニットのケース前面の開口を扉により閉じ、さらに筐体の開口を開閉扉により閉塞することが必要であったため、開口を閉じる動作を二度行わなければならず、多くの手間を要していた。
【０００９】
また、筐体の開口を開閉する開閉扉は、閉塞姿勢から下端部を中心として前方に回動することにより開放姿勢となるように構成されているため、開放姿勢となったときに筐体の前方に大きく飛び出すこととなり、インクカートリッジを交換する際に邪魔になることがあった。更には、ユーザーが開放姿勢の開閉扉にうっかり接触することで開閉扉が破損する虞も考えられる。
【００１０】
従って、前記画像記録装置においては、筐体の開口を閉塞してインクカートリッジ等のカートリッジをカートリッジ装着部に対して装着する際に、手間を要することがなく、また前記カバーが開いたときに筐体から大きく飛び出すことがない画像記録装置が望まれている。
【課題を解決するための手段】
【００１１】
上記課題を解決する画像記録装置は、以下の特徴を有する。
即ち、記録材によりシート状の被記録媒体に画像を記録する画像記録装置であって、前記記録材を収容するカートリッジと、前記カートリッジが挿抜可能に装着されるカートリッジ装着部と、前記カートリッジ装着部を収容し、前記カートリッジが挿抜される開口部が形成された筐体と、内側面に内側に突出する突出部が形成され、前記開口部を開放する開姿勢と、前記開口部を閉塞する閉姿勢との間で回動可能なカバーとを備え、前記カバーは、前記カバーの側面と前記カバーの側面に対向する前記筐体の一面とが互いに回動可能かつ摺動可能に係合する第１係合部と、前記カバーの側面と前記カバーの側面に対向する前記筐体の一面とが前記第１係合部とは異なる箇所で互いに回動可能かつ摺動可能に係合する第２係合部とを有し、閉姿勢にある前記カバーの一端部が前記開口部側から前記筐体の内部側へ向けて移動するとともに、他端部が他端側から一端側へ移動しながら、前記第１係合部及び第２係合部を中心に回動することにより前記開姿勢になるとともに、開姿勢にある前記カバーの一端部が前記筐体の内部側から前記開口部側へ向けて移動するとともに、他端部が一端側から他端側へ移動しながら、前記第１係合部及び第２係合部を中心に回動することにより前記閉姿勢となり、前記カートリッジは、前記カートリッジが前記カートリッジ装着部に装着位置まで挿入されると、前記カートリッジ装着部と係合して装着状態を保持するロック部と、前記カバーが前記開姿勢から閉姿勢へ至る過程で前記突出部が当接する当接部と、前記カートリッジが前記カートリッジ装着部に装着された状態で前記突出部と離間する凹部とを有し、前記突出部は、前記カバーが前記開姿勢から前記閉姿勢へ至る過程において、前記カートリッジ装着部に挿入された前記カートリッジの前記当接部に当接して、前記カートリッジを、前記カートリッジのロック部が、前記カートリッジ装着部に係合する位置まで前記筐体の内部側へ向けて押圧し、前記カートリッジを前記装着位置まで押圧した後、前記カートリッジの前記凹部が形成された位置へ移動する。
【発明の効果】
【００１２】
本発明によれば、筐体の開口を閉塞してカートリッジをカートリッジ装着部に対して装着する際に、手間を要することがなく、またカバーが開いたときに筐体から大きく飛び出すことがない。
【図面の簡単な説明】
【００１３】
【図１】プリンタ部を備えた複合機を示す斜視図である。
【図２】インクカートリッジが装着されたリフィルユニット、筐体ケース及びカバーを示す斜視図である。
【図３】リフィルユニット、筐体ケース及びカバーを示す図であり、（ａ）は正面図、（ｂ）は側面断面図である。
【図４】筐体ケースを示す斜視図である。
【図５】カバーを示す斜視図である。
【図６】カバーの第２溝部と第３溝部との接続部に形成される第１段差部及び第２段差部を示す斜視図である。
【図７】カバーの第１段差部及び第２段差部を形成する第１傾斜部及び第２傾斜部を示す側面図である。
【図８】インクカートリッジが装着された状態のリフィルユニット、筐体ケース及びカバーを示す側面断面図である。
【図９】カバーが開姿勢から閉姿勢に至るまでの過程で、カバーの突出部がインクカートリッジの当接部を押圧する様子を示す側面断面図である。
【図１０】カバーが開姿勢から閉姿勢に至るまでの過程で、カバーの突出部がインクカートリッジの当接部から凹部へ移動して、カバーが閉姿勢となる様子を示す側面断面図である。
【図１１】カバーが閉姿勢から開姿勢へ至る過程で、第２ボス部が第３溝部を相対的に摺動する様子を示す側面断面図である。
【図１２】カバーが閉姿勢から開姿勢へ至る過程で、第２ボス部が第３溝部から第２溝部へ乗り移り、第２溝部を相対的に摺動する様子を示す側面断面図である。
【図１３】カバー及び筐体ケースの別実施形態を示す側面図である。
【発明を実施するための形態】
【００１４】
次に、本発明を実施するための形態を、添付の図面を用いて説明する。
【００１５】
[プリンタ部の概略構成]
図１に示す複合機１は、本発明に係る画像記録装置を備えた複合機の一実施形態であり、下部に備えられた前記画像記録装置の一例としてのプリンタ部Ｐと、プリンタ部Ｐの上方に配置されたスキャナ部Ｓとを一体的に備えている。複合機１は、プリンタ機能、スキャナ機能、コピー機能、及びファクシミリ機能等を有しており、プリンタ機能を有するプリンタ部Ｐは、インクジェット記録方式のプリンタに構成されている。
以下の説明では、図１に示すように、複合機１が使用可能に設置された状態を基準として、前後方向、左右方向、上下方向の各方向を規定する。
【００１６】
プリンタ部Ｐにおいては、複合機１に接続されたコンピュータ、デジタルカメラ及びＵＳＢメモリ等の外部機器、並びに複合機１に装着されたメモリーカード等の各種記憶媒体から入力される画像データ等に基づいて、記録用紙等の被記録媒体に画像等を記録する。
【００１７】
複合機１の下部に配置されるプリンタ部Ｐは略直方体状に形成される筐体２を有しており、筐体２の前面を構成する前面パネル１１には、左右中央に第１開口部４が形成されている。第１開口部４内には、給紙トレイ２０、２０及び排紙トレイ２１が設けられている。
筐体２内における右端部かつ前端部には、インク滴を吐出する記録ヘッドに供給するインクを予め貯溜しておくためのリフィルユニット７０が収容されている。リフィルユニット７０は、カートリッジ装着部の一例である。
【００１８】
リフィルユニット７０には、インク等の記録材を収容するカートリッジの一例であるインクカートリッジ８０（図２参照）が挿抜可能に装着されており、前面パネル１１の第１開口部４よりも右側には、インクカートリッジ８０をリフィルユニット７０に挿抜するための第２開口部５が形成されている。
筐体２は、第２開口部５を開閉可能なカバー２２を備えている。カバー２２は、第２開口部５を開放してリフィルユニット７０を露出させる開姿勢と、第２開口部５を閉塞する閉姿勢との間で回動可能に構成されている。
【００１９】
閉姿勢にあるカバー２２は、カバー２２の一端部の一例である下端部が第２開口部５側から筐体２の内部側へ向けて移動するとともに、カバー２２の他端部の一例である上端部が上端側から下端側へ移動しながら回動することで、開姿勢となるように構成されている。逆に、開姿勢にあるカバー２２は、カバー２２の下端部が筐体２の内部側から第２開口部５側へ向けて移動するとともに、カバー２２の上端部が下端側から上端側へ移動しながら回動することで、閉姿勢となるように構成されている。
【００２０】
プリンタ部Ｐは、リフィルユニット７０から供給されるインクを記録ヘッドから被記録媒体に対して吐出することにより、被記録媒体に画像等を記録するように構成されている。
【００２１】
[リフィルユニット、筐体ケース及びカバー]
図２、図３に示すように、リフィルユニット７０は、シアン（Ｃ）、マゼンダ（Ｍ）、イエロー（Ｙ）、及びブラック（Ｂ）の各色に対応するインクカートリッジ８０を保持するものであり、リフィルケース７４を備えている。リフィルケース７４には、各色のインクカートリッジ８０が挿抜可能に装着される。
【００２２】
インクカートリッジ８０のリフィルケース７４に対する挿抜は、第２開口部５を通じて行われる。リフィルケース７４は、各色のインクカートリッジ８０に対応した収容室７５を有しており、各色のインクカートリッジ８０はそれぞれ対応した収容室７５に装着可能となっている。
【００２３】
筐体２はリフィルケース７４を収容する筐体ケース２５を有している。筐体ケース２５は、筐体２内の右端部かつ前端部に配置されている。筐体ケース２５は、互いに所定寸法だけ離間して左右に配置される一対の側壁２５Ａ、２５Ａと、筐体ケース２５の下部における側壁２５Ａ、２５Ａ間に配置される載置面２５Ｂと、筐体ケース２５の上部における側壁２５Ａ、２５Ａ間に配置される上面２５Ｃとを備えている。側壁２５Ａ、２５Ａは、筐体２の一面の一例である。リフィルケース７４は、筐体ケース２５における側壁２５Ａ、２５Ａと、載置面２５Ｂと、上面２５Ｃとで囲まれる空間内に収容されており、載置面２５Ｂ上に載置されている。
【００２４】
図４に示すように、筐体ケース２５の側壁２５Ａ、２５Ａには、それぞれ前記インクカートリッジ８０の挿抜方向となる前後方向に沿って延出する第１延出部５２ａ、及び第１延出部５２ａの第２開口部５側端部となる前端部から上方（閉姿勢にあるカバー２２の上端部側）へ向かって延出する第２延出部５２ｂを有する第１溝部５２が形成されている。本実施形態においては、第１溝部５２の第１延出部５２ａは、筐体２の内部側から第２開口部５側へいくに従って上方へ向かう方向に傾斜しており、第２延出部５２ｂは、下側から上側へいくに従って第２開口部５側へ向かう方向に傾斜している。
【００２５】
第１溝部５２は、本実施形態においては、側壁２５Ａ、２５Ａを左右方向に貫通しているが、側壁２５Ａ、２５Ａを貫通しない溝を側壁２５Ａ、２５Ａの内側面（リフィルケース７４と対向する側の面）に形成することにより第１溝部５２を構成することも可能である。
【００２６】
側壁２５Ａ、２５Ａの内側面における第２延出部５２ｂの上方には、それぞれ内側へ向かって突出する円柱形状の第２ボス６１が形成されている。
本実施形態においては、第１溝部５２及び第２ボス６１は、リフィルケース７４が載置される載置面２５Ｂよりも下方に配置されている。
【００２７】
カバー２２は、略矩形状の板状部材であり、筐体ケース２５における側壁２５Ａ、２５Ａ間に配置されている。カバー２２は、閉姿勢にある状態で筐体２の内部側に面する内側面２２Ａ、筐体２の外部に面する外側面２２Ｂ、及びカバー２２の左右端部に位置する一対の側面２２Ｃ、２２Ｃを有している。
カバー２２における右側の側面２２Ｃは、筐体ケース２５における右側の側壁２５Ａと対向しており、カバー２２における左側の側面２２Ｃは、筐体ケース２５における左側の側壁２５Ａと対向している。
【００２８】
カバー２２の外側面２２Ｂにおける他端部には、カバー２２を開閉する際にユーザーがカバー２２を把持する部分となる把手２３が形成されている。把手２３は、カバー２２の外側面２２Ｂに形成される凹部２３ａと、凹部２３ａの他端部から外側へ向けて延出する把持片２３ｂと、把持片２３ｂの外側端部からカバー２２の一端部側へ向けて延出する係止片２３ｃとを備えている。また、把手２３の外側面２２Ｂ側における左右両端部には、把持片２３ｂから一端部側に向けて延出する側端部片２３ｄが形成されている。
【００２９】
カバー２２の内側面２２Ａには、カバー２２が閉姿勢にある際に、筐体２の内部側へ向かって突出する突出部２４が形成されている。つまり、突出部２４は、カバー２２の内側面２２Ａから内側へ向かって突出する突出部である。
突出部２４は、カバー２２の上下方向における中央部よりも下方に配置されており、内側面２２Ａの左端部から右端部にかけて形成されている。突出部２４は、内側へ向かうにつれて下降する傾斜面に形成される上側面２４ａ、内側へ向かうにつれて上昇する傾斜面に形成される下側面２４ｂと、上側面２４ａと下側面２４ｂとが交差する部位であって、最も内側端部に位置する頂部２４ｃとを有しており、側面視において頂部２４ｃを頂点とする略三角形状に形成されている。
【００３０】
カバー２２の側面２２Ｃ、２２Ｃには、それぞれカバー２２の一端部における側面２２Ｃから側壁２５Ａ側へ向かって突出する円柱形状の第１ボス５１が形成されている。
また、カバー２２の側面２２Ｃ、２２Ｃにはカバー側溝部６２が形成されている。カバー側溝部６２は、側面２２Ｃにおいてカバー２２の一端部側から他端部側へ向かって延出する第２溝部６２ａと、側面２２Ｃにおける第２溝部６２ａよりも筐体２の内側に配置される第３溝部６２ｂとを有している。
【００３１】
第３溝部６２ｂの一端部は第２溝部６２ａの一端部と接続され、第３溝部６２ｂの他端部は第２溝部６２ａの途中部と接続されている。第３溝部６２ｂは、一端部から他端側へ向けて一旦第２溝部６２ａから離間し、その後第２溝部６２ａに近接する略円弧形状に形成されている。
【００３２】
図６、図７に示すように、第２溝部６２ａの一端部には、一端側よりも他端側が高くなる第１段差部６３ａが形成され、第３溝部６２ｂの他端部と第２溝部６２ａの途中部との接続部には、第３溝部６２ｂ側が第２溝部６２ａ側よりも高くなる第２段差部６３ｂが形成されている。
第１段差部６３ａは、第１移動規制部の一例であり、第２段差部６３ｂは、第２移動規制部の一例である。
【００３３】
第２溝部６２ａにおける第１段差部６３ａよりも他端部側には、第１段差部６３ａよりも他端部側から第１段差部６３ａへ向けて溝深さが浅くなる方向に傾斜する第１傾斜部６４ａが形成されており、第１段差部６３ａは第１傾斜部６４ａにより形成されている。つまり、第１傾斜部６４ａが他端部側から一端部側へ向けて溝深さが浅くなる方向に傾斜することにより、第１傾斜部６４ａと、第２溝部６２ａにおける第１傾斜部６４ａよりも一端部側の部分との間に段差が形成されることとなる。
【００３４】
図７に示すように、第１傾斜部６４ａにおける他端部側の１辺以外の他の３辺と、第２溝部６２ａにおける当該３辺の周囲の部分との間には切り欠き部６５ａが形成されており（図７における網掛け部分を参照）、第１傾斜部６４ａの切り欠き部６５ａに囲まれた部分は、薄板状の板バネに形成されている。このように、板バネに形成されている第１傾斜部６４ａは、第２溝部６２ａの深さ方向に力がかかると撓むことが可能となっている。
【００３５】
第３溝部６２ｂにおける第２段差部６３ｂよりも一端部側には、第２段差部６３ｂよりも一端部側から第２段差部６３ｂへ向けて溝深さが浅くなる方向に傾斜する第２傾斜部６４ｂが形成されており、第２段差部６３ｂは第２傾斜部６４ｂにより形成されている。つまり、第２傾斜部６４ｂが一端部側から他端部側へ向けて溝深さが浅くなる方向に傾斜することにより、第２傾斜部６４ｂと、第２溝部６２ａの途中部における第３溝部６２ｂの他端部との接続部との間に段差が形成されることとなる。
【００３６】
図７に示すように、第２傾斜部６４ｂも、第１傾斜部６４ａと同様に、第２傾斜部６４ｂにおける一端部以外の部分の周囲に切り欠き部６５ｂが形成されており（図７における網掛け部分を参照）、第２傾斜部６４ｂの切り欠き部６５ｂに囲まれた部分は、薄板状の板バネに形成されている。このように、板バネに形成されている第２傾斜部６４ｂは、第３溝部６２ｂの深さ方向に力がかかると撓むことが可能となっている。
【００３７】
図３に示すように、カバー２２の側面２２Ｃに形成される第１ボス５１と側壁２５Ａに形成される第１溝部５２とは互いに回動可能かつ摺動可能に係合しており、第１溝部５２に対して回動可能かつ摺動可能に係合する第１ボス５１が、カバー２２の側壁２５Ａに対する第１係合部５０として構成されている。
【００３８】
つまり、第１係合部５０においては、第１ボス５１が第１溝部５２に沿って摺動可能であるとともに、カバー２２が側壁２５Ａに対して第１ボス５１の軸心Ｏ１を中心に回動可能となっている。
図３（ａ）に示すように、第１ボス５１の軸心Ｏ１は、左右の第１ボス５１を通過する左右水平方向に延出する軸心である。
【００３９】
また、側壁２５Ａに形成される第２ボス６１とカバー２２の側面２２Ｃに形成されるカバー側溝部６２とは互いに回動可能かつ摺動可能に係合しており、カバー側溝部６２における第２ボス６１が回動可能かつ摺動可能に係合している部分が、カバー２２の側壁２５Ａに対する第２係合部６０として構成されている。
【００４０】
第２係合部５０は、第２ボス６１がカバー側溝部６２に沿って相対的に摺動することにより、カバー側溝部６２に沿って移動することとなる。
また、カバー２２が開姿勢と閉姿勢との間で回動する際には、カバー２２はカバー側溝部６２に係合する第２ボス６１に案内されながら移動する。また、カバー２２が側壁２５Ａに対して第２ボス６１の軸心Ｏ２を中心に回動可能となっている。
図３（ａ）に示すように、第２ボス６１の軸心Ｏ２は、左右の第２ボス６１を通過する左右水平方向に延出する軸心である。
【００４１】
このように、カバー２２は第１係合部５０及び第２係合部６０により側壁２５Ａ、２５Ａに支持されている。
そして、カバー２２は、第１ボス５１が第１溝部５２を摺動するとともに第２ボス６１がカバー側溝部６２を相対的に摺動しながら、第１ボス５１の軸心Ｏ１及び第２ボス６１の軸心Ｏ２を中心にして回動することにより、開姿勢と閉姿勢との間で回動動作する。
【００４２】
例えば、カバー２２が開姿勢側から閉姿勢側へ回動する際には、第１ボス５１が第１溝部５２に沿って筐体２の内部側から第２開口部５側へ向かって移動するとともに第２ボス６１がカバー側溝部６２の第２溝部６２ａに沿ってカバー２２の他端側から一端側へ向かって相対的に移動する。
【００４３】
これにより、カバー２２は、カバー２２の一端部が筐体２の内部側から第２開口部５側へ向けて移動するとともに、カバー２２の他端部が閉姿勢にあるカバー２２の一端側から他端側へ向けて上方に移動しながら、第１ボス５１の軸心Ｏ１及び第２ボス６１の軸心Ｏ２を中心にして回動することとなる。このような回動動作により、カバー２２は、倒伏した開姿勢から起立していき閉姿勢に至る。
【００４４】
また、カバー２２が閉姿勢側から開姿勢側へ回動する際には、第１ボス５１が第１溝部５２に沿って第２開口部５側から筐体２の内部側へ向かって移動するとともに、第２ボス６１がカバー側溝部６２の第３溝部６２ｂ及び第２溝部６２ａに沿ってカバー２２の一端側から他端側へ向かって相対的に移動する。
【００４５】
これにより、カバー２２は、カバー２２の一端部が第２開口部５側から筐体２の内部側へ向けて移動するとともに、カバー２２の他端部が閉姿勢にあるカバー２２の他端側から一端側へ向けて下方に移動しながら、第１ボス５１の軸心Ｏ１及び第２ボス６１の軸心Ｏ２を中心にして回動することとなる。このような回動動作により、カバー２２は、起立した閉姿勢から倒伏していき開姿勢に至る。
【００４６】
第１ボス５１が第１溝部５２に沿って筐体２の内部側から第２開口部５側へ向かって摺動する軌跡が、第１軌跡の一例であり、第２ボス６１が第２溝部６２ａに沿ってカバー２２の他端部側から一端部側へ向かって相対的に摺動する軌跡が、第２軌跡の一例であり、第２ボス６１が第３溝部６２ｂに沿ってカバー２２の一端部側から他端部側へ向かって相対的に摺動する軌跡が、第３軌跡の一例である。
【００４７】
閉姿勢にあるカバー２２が開姿勢側へ向けて回動する際には、カバー２２は一端部側から筐体ケース２５における載置面２５Ｂよりも下方の空間内に収容されていき、カバー２２が開姿勢となった際には、図３（ｂ）に示すように、カバー２２が全体的に筐体ケース２５における載置面２５Ｂよりも下方の空間内に収容されることとなる。従って、開姿勢にあるカバー２２においては、第２開口部５から筐体２の外部側への突出量が小さくなっている。筐体ケース２５における、カバー２２が収容される載置面２５Ｂよりも下方の前記空間は、給紙トレイ２０の右方に位置する空間である。
【００４８】
図８に示すように、リフィルケース７４の収容室７５内に装着されるインクカートリッジ８０は、収容室７５内に挿入された状態で閉姿勢にあるカバー２２の内側面２２Ａと対向する前面８０Ａの下部に、カバー２２が開姿勢から閉姿勢に至る過程でカバー２２の突出部２４が当接する当接部８１を有している。前面８０Ａにおける当接部８１の下方は、内側へ向かうにつれて下降する傾斜面８１ａに形成されている。
また、インクカートリッジ８０は、前面８０Ａにおける当接部８１よりも上方に隣接して配置される凹部８２を有している。
【００４９】
凹部８２は、インクカートリッジ８０が収容室７５内に装着された状態で、第２開口部５側から筐体２の内部側へ向かうにつれて下降する傾斜面に形成される上側面８２ａと、第２開口部５側から筐体２の内部側へ向かうにつれて上昇する傾斜面に形成される下側面８２ｂと、上側面８２ａと下側面８２ｂとが交差する部位であって、最も内側端部に位置する凹頂部８２ｃとを有しており、カバー２２の突出部２４の形状に対応する形状に形成されている。
【００５０】
凹部８２は、インクカートリッジ８０が収容室７５内に装着された状態で、閉姿勢にあるカバー２２の突出部２４から離間している。
つまり、インクカートリッジ８０が収容室７５内に装着されるとともに、カバー２２が閉姿勢にある状態において、突出部２４の上側面２４ａ、下側面２４ｂ及び頂部２４ｃと、凹部８２の上側面８２ａ、下側面８２ｂ及び凹頂部８２ｃとは、それぞれ対向するとともに互いに離間している。
【００５１】
図８に示すように、前面８０Ａの下部は、右側面側から見て、凹部８２、当接部８１、及び傾斜面８１ａにより略逆Ｓ字状に形成されている。また、当接部８１は、凹部８２の下側面８２ｂと傾斜面８１ａとの間に形成され、第２開口部５側へ膨出する略円弧形状に形成されている。
【００５２】
リフィルケース７４の収容室７５における上端部には、収容室７５の上面から下方に突出する係合部７６が形成されている。
また、インクカートリッジ８０の上面には、インクカートリッジ８０が収容室７５内に装着位置まで挿入されると、収容室７５の係合部７６と係合してインクカートリッジ８０の装着状態を保持するロック部８３が形成されている。
【００５３】
[カバーを開姿勢から閉姿勢へ向けて回動する際の動作]
以上のような構成において、カバー２２を開姿勢から閉姿勢へ向けて回動する際の動作について説明する。
【００５４】
まず、図３（ｂ）に示すように、カバー２２が開姿勢にある状態において、インクカートリッジ８０をリフィルケース７４の収容室７５内に挿入する。この場合、インクカートリッジ８０の収容室７５内への挿入位置が、インクカートリッジ８０がロック部８３と係合部７６とが係合する装着位置よりも浅い挿入位置にある場合を想定する。換言すれば、インクカートリッジ８０は、収容室７５内に浅く挿入されており、ロック部８３と係合部７６とが係合していない非装着位置にある場合を想定する。
【００５５】
この状態から、ユーザーは開姿勢にあるカバー２２の把手２３を把持して、カバー２２を前後方向における前向きに引き出しながらカバー２２の他端部を上下方向における上向きに持ち上げると、カバー２２は筐体２の内部から外部側へ向けて引き出されながら起立していく。
【００５６】
この場合、カバー２２の第１係合部５０である第１ボス５１は、第１溝部５２の第１延出部５２ａに沿って、筐体２の内部側から第２開口部５側へ向けて摺動する。また、側壁２５Ａの第２ボス６１がカバー２２の第２溝部６２ａに沿って、相対的にカバー２２の他端部側から一端部側へ向けて摺動する。つまり、第２溝部６２ａにおける第２ボス６１が係合する部分である第２係合部６０がカバー２２の他端部側から一端部側へ向けて移動する。
【００５７】
カバー側溝部６２においては、第２溝部６２ａの途中部と第３溝部６２ｂの他端部との接続部に第２段差部６３ｂが形成されているため、第２ボス６１が第２溝部６２ａから第３溝部６２ｂへ移動することが規制されている。従って第２ボス６１が第２溝部６２ａにおける第３溝部６２ｂの他端部との接続部に移動した図９（ａ）に示す状態から、カバー２２を引き出されながら起立するとき、第２ボス６１は第２溝部６２ａから第３溝部６２ｂへ移動することがなく、確実に第２溝部６２ａに沿って摺動することとなる。
【００５８】
カバー２２が筐体２外部側へ引き出されながら起立していくと、図９（ａ）に示すように、カバー２２が開姿勢にあったときには離間していたカバー２２の突出部２４とインクカートリッジ８０の当接部８１とが近接して、互いに当接する。具体的には、カバー２２の突出部２４における頂部２４ｃがインクカートリッジ８０の当接部８１に下方の傾斜面８１ａ側から当接する。図９（ａ）に示す状態では、インクカートリッジ８０のロック部８３における係合部７６と係合する部分は、係合部７６よりも第２開口部５側に位置している。
【００５９】
図９（ａ）に示す状態から、ユーザーが更にカバー２２の他端部を上方へ持ち上げると、カバー２２は起立していき、インクカートリッジ８０は、当接部８１に当接するカバー２２の突出部２４によって筐体２の内部側へ押圧されて押し込まれる。この際、カバー２２が起立するのに伴って突出部２４は上方に移動していき、突出部２４における当接部８１に当接する箇所が頂部２４ｃから下側面２４ｂに変化する。つまり、図９（ａ）に示すように、突出部２４の頂部２４ｃが当接部８１に当接する状態から、図９（ｂ）に示すように、突出部２４の下側面２４ｂが当接部８１に当接する状態に変化する。
【００６０】
図９（ｂ）に示すように、インクカートリッジ８０が突出部２４によって筐体２の内部側へ押し込まれると、ロック部８３における係合部７６と係合する部分が係合部７６の位置に達し、ロック部８３と係合部７６とが係合する。
【００６１】
図１０（ａ）に示すように、ロック部８３と係合部７６とが係合した後、さらにカバー２２の他端部を上方へ持ち上げながら筐体２の外部側から第２開口部５側へ向けて押すと、カバー２２はさらに起立していき、インクカートリッジ８０は突出部２４によってロック部８３と係合部７６とが係合する位置よりもさらに筐体２の内部側へ押し込まれ、所謂オーバーロック位置となる位置まで挿入される。この場合、突出部２４の下側面２４ｂが当接部８１に当接している。
【００６２】
このように、インクカートリッジ８０がオーバーロック位置まで収容室７５内に挿入されることで、ロック部８３と係合部７６とを確実に係合させることが可能となり、インクカートリッジ８０がリフィルケース７４に装着された状態を確実に保持することが可能となる。図１０（ａ）に示す状態では、カバー２２の第１ボス５１は、第１溝部５２における第１延出部５２ａの第２開口部５側端部に達している。
【００６３】
この状態から、さらにカバー２２の他端部を上方へ持ち上げながら第２開口部５側へ向けて押すと、カバー２２の第１係合部５０であるボス５１が第１溝部５２における第２延出部５２ｂに沿って摺動し、カバー２２はさらに起立しながら上方へ移動する。カバー２２が上方へ移動することで、カバー２２の突出部２４がインクカートリッジ８０の当接部８１に当接する位置から、凹部８２側へ移動することとなる。
【００６４】
この場合、カバー２２の上方への移動に伴って、突出部２４の下側面２４ｂが当接部８１に当接している状態から、突出部２４の下側面２４ｂが当接部８１に隣接する凹部８２の下側面８２ｂに摺接する状態に変化する。この状態においては、突出部２４の下側面２４ｂは、凹部８２の下側面８２ｂに摺接しながら、インクカートリッジ８０を筐体２の内部側へ押圧している。
なお、この場合、カバー２２の第２係合部６０は、引き続きカバー２２の他端部側から一端部側へ向けて移動する。
【００６５】
図１０（ｂ）に示すように、カバー２２が起立しながら上方へ移動して閉姿勢に至ると、カバー２２の突出部２４はインクカートリッジ８０の凹部８２と対向する位置まで上昇し、互いに摺接していた突出部２４の下側面２４ｂと凹部８２の下側面８２ｂが離間する。この突出部２４が凹部８２と対向する位置にある状態では、突出部２４の上側面２４ａ、下側面２４ｂ及び頂部２４ｃと、凹部８２の上側面８２ａ、下側面８２ｂ及び凹頂部８２ｃとは離間しており、突出部２４によるインクカートリッジ８０の押圧状態が解除される。
【００６６】
また、収容室７５内に装着されたインクカートリッジ８０は、図示せぬ付勢部材により第２開口部５側へ向けて付勢されている。従って、突出部２４によるインクカートリッジ８０の押圧状態が解除されると、オーバーロック位置にあるインクカートリッジ８０が第２開口部５側へ戻って、ロック部８３と係合部７６とが係合することとなり、インクカートリッジ８０のリフィルケース７４に対する装着状態が保持される。
【００６７】
なお、カバー２２が閉姿勢にある状態では、第１ボス５１は第１溝部５２における第２延出部５２ｂの上端部に位置し、第２ボス６１は、カバー側溝部６２における第２溝部６２ａの下端部に位置している。
【００６８】
また、カバー２２が閉姿勢となって第２ボス６１が第２溝部６２ａの下端部に到達する際には、第２ボス６１は、第１傾斜部６４ａを通過し、第1段差部６３ａを超えて下端部に達する。この場合、第２ボス６１が第１傾斜部６４ａを通過する際には、第１傾斜部６４ａは第２ボス６１により溝深さ方向に押圧されて、溝深さが深くなる側に撓むため、第２ボス６１が第１傾斜部６４ａを通過することが可能となっている。第２ボス６１が第１傾斜部６４ａを通過した後は、撓んでいた第１傾斜部が溝深さが浅くなる側に戻るため、第１段差部６３ａが形成されて、第２ボス６１が第１段差部６３ａよりも他端部側へ摺動することが規制される。
【００６９】
[カバーを閉姿勢から開姿勢へ向けて回動する際の動作]
次に、閉姿勢にあるカバー２２を開姿勢側へ向けて回動する際の動作について説明する。
まず、図１０（ｂ）に示す閉姿勢にあるカバー２２の把手２３を把持してカバー２２の他端部を手前に引き出す。
【００７０】
図１１（ａ）に示すように、カバー２２の他端部を手前に引き出すと、カバー２２は第１係合部５０となる第１ボス５１の軸心Ｏ１を中心として前方へ回動する。この場合、カバー２２が閉状態にあるときに第２溝部６２ａにおける下端部に位置していた第２ボス６１は、カバー２２の回動動作に伴って第３溝部６２ｂの下端部に移動する。
【００７１】
ここで、カバー側溝部６２における第２溝部６２ａの一端部には、一端側よりも他端側が高くなる第１段差部６３ａが形成されているため、第２溝部６２ａの第１段差部６３ａよりも一端部側に位置する第２ボス６１が、第２溝部６２ａの第１段差部６３ａよりも他端部側へ移動することが規制されている。
従って、第２ボス６１が第２溝部６２ａの第１段差部６３ａよりも一端部側に位置する図１０（ｂ）に示す状態から、閉姿勢にあるカバー２２を軸心Ｏ１を中心として前方へ回動する際に、第２ボス６１が第１段差部６３ａを超えて第２溝部６２ａの他端部側へ移動することがなく、確実にカバー２２を前方へ回動することが可能となっている。
【００７２】
その後、カバー２２の他端部を手前に引きながら下方へ押し下げると、図１１（ｂ）に示すように、第１係合部５０である第１ボス５１が第１溝部５２の第２延出部５２ｂに沿って下方に摺動するとともに、第２ボス６１が第３溝部６２ｂに沿ってカバー２２の一端部側から他端部側へ向けて相対的に摺動する。つまり、第３溝部６２ｂにおける第２ボス６１が係合する部分である第２係合部６０がカバー２２の一端部側から他端部側へ向けて移動する。これにより、カバー２２は前方へ回動した姿勢を保ちながら下方に移動する。
【００７３】
カバー２２が閉姿勢にある場合、カバー側溝部６２の第３溝部６２ｂは第２溝部６２ａよりも筐体２の内側に配置されているため、カバー２２は、第２ボス６１が第２溝部６２ａに沿って相対的に移動する場合よりも外側に開いた姿勢で下方へ移動することとなる。
このように、第２ボス６１が第３溝部６２ｂに沿って相対的に摺動して、カバー２２が外側に開いた姿勢で下方へ移動するように構成することで、閉姿勢にあるカバー２２を開き始めるときに、カバー２２の突出部２４をインクカートリッジ８０の当接部８１から離間した位置に位置させて、当該当接部８１に当接しないようにしている。
【００７４】
この状態から、さらにカバー２２の他端部を下方へ押し下げると、図１２（ａ）に示すように、第２ボス６１が第３溝部６２ｂの他端部に達するとともに、第１ボス５１が第１溝部５２の第１延出部５２ａに沿って第２開口部５側から筐体２の内部側へ向けて摺動するようになる。
図１２（ａ）に示す状態は、図１１（ｂ）に示す状態よりも、カバー２２が第１係合部５０及び第２係合部６０を中心に回動して、カバー２２の一端部が筐体２の内部側に進入するとともに、カバー２２が傾倒した状態となっている。
【００７５】
この状態から、さらにカバー２２の他端部を下方へ押し下げると、図１２（ｂ）に示すように、第２ボス６１は第２溝部６２ａに乗り移り、第２溝部６２ａに沿ってカバー２２の一端部側から他端部側に向けて摺動し、第１ボス５１は引き続き第１溝部５２の第１延出部５２ａに沿って第２開口部５側から筐体２の内部側へ向けて摺動する。
【００７６】
つまり、第１係合部５０が第２開口部５側から筐体２の内部側へ向けて移動するとともに、第２係合部６０がカバー２２の一端部側から他端部側に向けて移動する。これにより、カバー２２は第１係合部５０及び第２係合部６０を中心に回動して、カバー２２が一端部側からさらに筐体２の内部側に進入するとともに、さらに傾倒した状態となる。
【００７７】
なお、カバー側溝部６２においては、第３溝部６２ｂの他端部と第２溝部６２ａの途中部との接続部には第２段差部６３ｂが形成されているため、第２ボス６１が第２溝部６２ａの途中部から第３溝部６２ｂの他端部へ移動することが規制されている。
従って、第２ボス６１が第２溝部６２ａの途中部に移動した図１２（ａ）に示す状態から、カバー２２の他端部を下方へ押し下げた際には、第２ボス６１は、第２溝部６２ａの途中部から第３溝部６２ｂの他端部へ戻ることがなく、確実に第２溝部６２ａに沿ってカバー２２の一端部側から他端部側へ向けて相対的に摺動することとなる。
【００７８】
また、第２ボス６１が第３溝部６２ｂの他端部から第２溝部６２ｂに乗り移る際には、第２ボス６１は、第２傾斜部６４ｂを通過し、第２段差部６３ｂを超えて第２溝部６２ｂに達する。この場合、第２ボス６１が第２傾斜部６４ｂを通過する際には、第２傾斜部６４ｂは第２ボス６１により溝深さ方向に押圧されて、溝深さが深くなる側に撓むため、第２ボス６１が第２傾斜部６４ｂを通過することが可能となっている。第２ボス６１が第２傾斜部６４ｂを通過した後は、撓んでいた第２傾斜部が溝深さが浅くなる側に戻るため、第２段差部６３ｂが形成されて、第２ボス６１が第２段差部６３ｂよりも第３溝部６２ｂ側へ摺動することが規制される。
【００７９】
その後、カバー２２の他端部をさらに下方へ押し下げるとともに、筐体２の内部側へ押し込むことにより、カバー２２が第１係合部５０及び第２係合部６０を中心に回動し、カバー２２の筐体２の内部側への進入、及び傾倒が進んで、図３（ｂ）に示すような開姿勢に至る。
この場合、第１溝部６１と第２ボス５２とがリフィルケース７４が載置される載置面２５Ｂよりも下方に位置しているため、カバー２２は、載置面２５Ｂよりも下方の空間に収容されることとなる。
【００８０】
[カバー及び筐体ケースの別実施形態]
前述の実施形態においては、カバー２２の側面２２Ｃに第１係合部５０を構成する第１ボス５１及び第２係合部６０を構成するカバー側溝部６２を形成し、筐体ケース２５の側壁２５Ａに第１係合部５０を構成する第１溝部５２及び第２係合部６０を構成する第２ボス６１を形成していたが、カバー２２及び側壁２５Ａは次のように構成することもできる。
【００８１】
例えば、図１３（ａ）に示すように、カバー１２２の側面１２２Ｃに第１係合部１５０を構成する第１ボス１５１及び第２係合部１６０を構成する第２ボス１６１を形成し、筐体ケース１２５の側壁１２５Ａに、第１ボス１５１が摺動可能かつ回動可能に係合する第１溝部１５２、及び第２ボス１６１が摺動可能かつ回動可能に係合する筐体側溝部１６２を形成することもできる。筐体側溝部１６２は、第２溝部１６２ａ及び第２溝部１６２ａよりも筐体２の外部側に配置される第３溝部１６２ｂを含むものである。第１ボス１５１及び第２ボス１６１は、共にカバー１２２の側面１２２Ｃから筐体ケース１２５の側壁１２５Ａ側へ向かって突出している。
【００８２】
この場合、開姿勢にあるカバー１２２は、第１ボス１５１が第１溝部１５２内を筐体２の内部側から第２開口部５側へ向けて摺動するとともに、第２ボス１６１が筐体側溝部１６２の第２溝部１６２ａ内をカバー１２２の一端部側から他端部側へ向けて摺動しながら、第１係合部１５０及び第２係合部１６０を中心に回動することにより閉姿勢となる。
【００８３】
また、閉姿勢にあるカバー１２２は、第１ボス１５１を中心に外側へ開いた後に、第１ボス１５１が第１溝部１５２内を第２開口部５側から筐体２の内部側へ向けて摺動するとともに、第２ボス１６１が筐体側溝部１６２の第３溝部１６２ｂ内をカバー１２２の他端部側から一端部側へ向けて摺動し、さらに、第２溝部１６２ａ内をカバー１２２の他端部側から一端部側へ向けて摺動しながら、第１係合部１５０及び第２係合部１６０を中心に回動することにより閉姿勢となる。
【００８４】
また、図１３（ｂ）に示すように、筐体ケース２２５の側壁２２５Ａに第１ボス２５１及び第２ボス２６１を形成し、カバー２２２の側面２２２Ｃに第１ボス２５１が摺動可能かつ回動可能に係合する第１溝部２５２及び第２ボス２６１が摺動可能かつ回動可能に係合するカバー側溝部２６２を形成することもできる。第１溝部２５２における第１ボス２５１が摺動可能かつ回動可能に係合する部分が第１係合部２５０として構成され、カバー側溝部２６２における第２ボス２６１が摺動可能かつ回動可能に係合する部分が第２係合部２６０として構成されている。カバー側溝部２６２は、第２溝部２６２ａ及び第３溝部２６２ｂを含むものである。第１ボス２５１及び第２ボス２６１は、共に筐体ケース２２５の側壁２２５Ａからカバー２２２の側面２２２Ｃへ向かって突出している。
【００８５】
この場合、開姿勢にあるカバー２２２は、第１ボス２５１が第１溝部２５２内を第２開口部５側から筐体２の内部側へ向けて相対的に摺動するとともに、第２ボス２６１がカバー側溝部２６２の第２溝部２６２ａ内をカバー２２２の他端部側から一端部側へ向けて相対的に摺動しながら、第１係合部２５０及び第２係合部２６０を中心に回動することにより閉姿勢となる。
【００８６】
また、閉姿勢にあるカバー２２２は、第１ボス２５１を中心に外側へ開いた後に、第１ボス２５１が第１溝部２５２内を筐体２の内部側から第２開口部５側へ向けて相対的に摺動するとともに、第２ボス２６１が筐体側溝部２６２の第３溝部２６２ｂ内をカバー２２２の一端部側から他端部側へ向けて相対的に摺動し、さらに、第２溝部２６２ａ内をカバー２２２の一端部側から他端部側へ向けて相対的に摺動しながら、第１係合部２５０及び第２係合部２６０を中心に回動することにより閉姿勢となる。
【００８７】
[本実施形態おける効果]
本実施形態においては、プリンタ部Ｐは上述のように構成されている。
つまり、プリンタ部Ｐにおいては、カバー２２は、カバー２２の側面２２Ｃと筐体２の一面２５Ａとが互いに回動可能かつ摺動可能に係合する第１係合部５０と、カバーの側面２２Ｃと筐体２の一面２５Ａとが第１係合部５０とは異なる箇所で互いに回動可能かつ摺動可能に係合する第２係合部６０とを有し、閉姿勢にあるカバー２２の一端部が第２開口部５側から筐体２の内部側へ向けて移動するとともに、他端部が他端側から一端側へ移動しながら、第１係合部５０及び第２係合部６０を中心に回動することにより開姿勢になるとともに、開姿勢にあるカバー２２の一端部が筐体２の内部側から第２開口部５側へ向けて移動するとともに、他端部が一端側から他端側へ移動しながら、第１係合部５０及び第２係合部６０を中心に回動することにより閉姿勢となり、インクカートリッジ８０は、インクカートリッジ８０がリフィルユニット７０に装着位置まで挿入されると、リフィルケース７４の係合部７６と係合して装着状態を保持するロック部８３と、カバー２２が開姿勢から閉姿勢へ至る過程で突出部２４が当接する当接部８１と、インクカートリッジ８０がリフィルユニット７０に装着された状態で突出部２４と離間する凹部８２とを有し、突出部２２ｃは、カバー２２が開姿勢から閉姿勢へ至る過程において、リフィルユニット７０に挿入されたインクカートリッジ８０の当接部８１に当接して、インクカートリッジ８０を、ロック部８３が係合部７６に係合する位置まで筐体２の内部側へ向けて押圧し、その後、インクカートリッジ８０の凹部８２が形成された位置へ移動する。
【００８８】
特に、筐体２は、筐体２の側壁２５Ａに形成されインクカートリッジ８０の挿抜方向に沿って延出する第１延出部５２ａ及び第１延出部５２ａの第２開口部５側端部から閉姿勢にあるカバー２２の他端側へ向かって延出する第２延出部５２ｂを有する第１溝部５２と、側壁２５Ａからカバー２２の側面２２Ｃに向って突出する第２ボス６１と有し、カバー２２は、カバー２２の一端部における側面２２Ｃから側壁２５Ａ側へ向かって突出し、第１溝部５２に回動可能かつ摺動可能に係合する第１ボス５１と、カバー２２の側面２２Ｃに形成されカバー２２の一端側から他端側へ向かって延出し、第２ボス６１が回動可能かつ摺動可能に係合する第２溝部６２ａとを有し、前記第１ボス５１が第１係合部５０として構成され、第２溝部６２ａにおける第２ボス６１が係合する部分が第２係合部６０として構成され、インクカートリッジ８０の凹部８２は、当接部８１よりも他端側に配置され、カバー２２が開姿勢から閉姿勢へ至る過程において、第１ボス５１が第１延出部５２ａを筐体２の内部側から第２開口部５側へ移動するとともに、第２ボス６１が第２溝部６２ａをカバー２２の他端側から一端側へ相対的に移動しながら、カバー２２が第１係合部５０及び第２係合部６０を中心として回動する際に、突出部２４が当接部８１を筐体２の内部側へ向けて押圧し、第１ボス５１が第２延出部５２ｂを一端側から他端側へ向けて移動するとともに、第２ボス６１が第２溝部６２ａをカバー２２の他端側から一端側へ相対的に移動しながら、カバー２２が第１係合部５０及び第２係合部６０を中心として回動する際に、突出部２４がインクカートリッジ８０における当接部８１が形成された位置から凹部８２が形成された位置へ移動する。
【００８９】
このような構成により、開姿勢のカバー２２を閉じて閉姿勢とする動作により、リフィルユニット７０に完全に装着されていない半差し状態のインクカートリッジ８０を突出部２４により押圧して装着状態とすることができる。この場合、インクカートリッジ８０の交換時等において、インクカートリッジ８０をリフィルユニット７０に装着する際には、開姿勢のカバー２２を閉じて閉姿勢とする動作のみでインクカートリッジ８０をリフィルユニット７０に装着することができるため、手間を要することがない。また、カバー２２は、閉位置から開位置に至る過程で、筐体２の内部側へ侵入していくこととなるので、開状態のカバー２２が筐体２から大きく飛び出すことがなく、インクカートリッジ８０を交換する際に邪魔になることがない。更に、ユーザーが開姿勢のカバー２２にうっかり接触してカバー２２が破損することもない。
【００９０】
また、第１係合部５０及び第２係合部６０は、カバー２２が閉姿勢と開姿勢との間で回動する際に、カバー２２の側面２２Ｃ又は筐体２の側壁２５ａの何れかに沿った軌跡をたどって移動可能に構成されており、カバー２２が閉姿勢から前記開姿勢へ至る過程において、カバー２２は、閉姿勢にある状態から開姿勢側への回動動作を開始する際に、第１係合部５０及び第２係合部６０の一方を中心として、カバー２２がインクカートリッジ８０から離間する方向に回動し、その後、第１係合部５０及び第２係合部６０の一方は、カバー２２が開姿勢へ至るまで、カバー２２が開姿勢側から閉姿勢側へ回動するときの第１軌跡を反対方向にたどって移動し、第１係合部５０及び第２係合部６０の他方は、カバー２２が開姿勢へ至る途中まではカバー２２が開姿勢側から閉姿勢側へ回動するときの第２軌跡よりも、カバー２２がインクカートリッジ８０から離間する第３軌跡をたどって移動し、その後は第２軌跡を反対方向にたどって移動する。
【００９１】
特に、カバー２２は、カバー２２の側面に形成されカバー２２が閉姿勢にあるときに第２溝部６２ａよりも筐体２の内側に配置され、第２ボス６１が回動可能かつ摺動可能に係合可能な第３溝部６２ｂを有し、第３溝部６２ｂの一端部は第２溝部６２ａの一端部と接続され、第３溝部６２ｂの他端部は第２溝部６２ａの途中部と接続されて、第３溝部６２ｂにおける第２ボス６１が係合する部分が第２係合部６０として構成され、カバー２２が閉姿勢から開姿勢へ至る過程において、カバー２２は、閉姿勢にある状態から開姿勢側へ回動動作を開始する際に、第１係合部５０の第１ボス５１を中心として、カバー２２がインクカートリッジ８０から離間する方向に回動し、その後、第１ボス５１は、カバー２２が開姿勢へ至るまで、第１溝部５２に沿って移動し、第２係合部６０の第２ボス６１は、カバー２２が開姿勢へ至る途中までは第３溝部６２ｂに沿って相対的に移動し、その後は第２溝部６２ａに沿って相対的に移動する。
【００９２】
このような構成により、カバー２２が閉姿勢から開姿勢へ至る過程においては、カバー２２は、開姿勢から閉姿勢へ至る過程における移動軌跡よりもインクカートリッジ８０から離間する軌跡をたどって移動するため、カバー２２の突出部２４がインクカートリッジ８０に当接することなく、カバー２２を開くことが可能となる。
【００９３】
また、前記第２軌跡に沿って形成される第２溝部６２ａの一端部と前記第３軌跡に沿って形成される第３溝部６２ｂの一端部とは接続され、前記第２軌跡に沿って形成される第２溝部６２ａの途中部と前記第３軌跡に沿って形成される第３溝部６２ｂの他端部とは接続されており、第２溝部６２ａの一端部には、第２溝部６２ａの一端側よりも他端側が高くなる第１移動規制部としての第１段差部６３ａが形成され、第３溝部６２ｂの他端部と第２溝部６２ａの途中部との接続部には、第３溝部６２ｂ側が第２溝部６２ａ側よりも高くなる第２移動規制部としての第２段差部６３ｂが形成されている。
【００９４】
このような構成により、カバー２２を閉姿勢から開姿勢側へ向けて回動するときに、カバー２２が意図せぬ軌跡にて回動することを防止でき、カバー２２の突出部２４がインクカートリッジ８０に当接することを確実に防止できる。
【００９５】
また、カバー２２は、閉姿勢にあるときに、一端部が第２開口部５の下端部に位置し、他端部が第２開口部５の上端部に位置する姿勢に配置され、第１溝部５２と第２ボス６１とは、リフィルユニット７０よりも下方に配置され、カバー２２が閉姿勢側から開姿勢側へ回動する際には、カバー２２の一端部が、筐体２のリフィルユニット７０よりも下方において、第２開口部５側から筐体２の内部側へ向けて移動する。
【００９６】
筐体２における下部には、未記録状態の被記録媒体を収容するための高さ方向のスペースが存在しているため、カバー２２が、リフィルユニット７０よりも下方において筐体２の内部側へ侵入していく構成とすることで、カバー２２を既存のスペースを利用して筐体２の内部側へ侵入させることができ、装置が大型化することを防止できる。また、カバー２２を開くときには、カバー２２を閉姿勢側から開姿勢側へ押圧操作するが、カバー２２は開くときに上から下に向けて移動するので、押圧操作する際に必要となる力を小さくすることができる。
【００９７】
また、カバー２２は、カバー２２の外側面２２Ｂにおける一端部に形成される把手２３を有し、把手２３は、カバー２２の外側面２２Ｂに形成される凹部２３ａと、凹部２３ａの前記一端部から外側へ延出する把持片２３ｂと、把持片２３ｂの外側端部からカバー２２の他端部側へ向けて延出する係止片２３ｃとを備える。
【００９８】
これにより、閉姿勢にあるカバー２２を開く際に、ユーザーが親指と他の指で把手２３の把持片２３ｂを把持してカバー２２を操作することで、他の指が把手２３の係止片２３ｃに係止するため、把持片２３ｂを把持する他の指が把持片２３ｂから滑ることがなく、カバー２２の開操作を行い易くなる。また、把手２３は、カバー２２の外側面２２Ｂに形成される凹部２３ａを有しているため、把持片２３ｂをカバー２２の外側面２２Ｂから大きく突出させることなく、把持片２３ｂを把持するスペースを広く確保することができる。
【符号の説明】
【００９９】
１    複合機
２    筐体
５    第２開口部
２２    カバー
２２Ａ  内側面
２２Ｂ  外側面
２２Ｃ  側面
２３    把手
２３ａ  凹部
２３ｂ  把持片
２３ｃ  係止片
２４    突出部
２５    筐体ケース
２５Ａ  側壁
５０    第１係合部
５１    第１ボス
５２    第１溝部
５２ａ  第１延出部
５２ｂ  第２延出部
６０    第２係合部
６１    第２ボス
６２    カバー側溝部
６２ａ  第２溝部
６２ｂ  第３溝部
６３ａ  第１段差部
６３ｂ  第２段差部
７０    リフィルユニット
７４    リフィルケース
７６    係合部
８０    インクカートリッジ
８１    当接部
８２    凹部
８３    ロック部
Ｐ    プリンタ部
【図１】
2017177771.tif 000003
【図２】
2017177771.tif 000004
【図３】
2017177771.tif 000005
【図４】
2017177771.tif 000006
【図５】
2017177771.tif 000007
【図６】
2017177771.tif 000008
【図７】
2017177771.tif 000009
【図８】
2017177771.tif 000010
【図９】
2017177771.tif 000011
【図１０】
2017177771.tif 000012
【図１１】
2017177771.tif 000013
【図１２】
2017177771.tif 000014
【図１３】
2017177771.tif 000015